(57)【要約】      （修正有） 【課題】一人で簡単且つ綺麗にダンボールの封作業をすることができ、特別な技術を必要とせず、また小規模工場や個人事業者等であってもコストをかけずに設置し、作業効率を上げることが出来るダンボール組立補助具を提供する。【解決手段】台６に固定する取付板３ｂと該取付板に重ね合うように押圧度を調節する調節具４ａ、４ｂによって保持される調節板３ａからなる調節部３と、前記取付板と調節板の間に挿通し上下スライド調節可能に取り付けられ上部にダンボール５の上部を前記台とで押さえる固定部を形成した保持部とからなり、前記調節部と固定部の距離を折り畳んだダンボールの高さにし、前記台と固定部の間にダンボールを位置させて前記固定部でダンボールの上蓋を押さえた状態でダンボールの上蓋を封することを特徴とする。【選択図】図７
0003159261.tif 000002
【実用新案登録請求の範囲】
【請求項１】
台に固定する取付板と前記取付板に重ね合うように押圧度を調節する調節具によって保持される調節板からなる調節部と、前記取付板と調節板の間に挿通し上下スライド調節可能に取り付けられ上部にダンボールの上部を前記台とで押さえる固定部を形成した保持部とからなり、  前記調節部と固定部の距離を折り畳んだダンボールの高さにし、前記台と固定部の間にダンボールを位置させて前記固定部でダンボールの上蓋を押さえた状態でダンボールの上蓋を封することを特徴とするダンボール組立補助具。
【請求項２】
前記保持部を、略Ｕ字状に折り曲げて左右棒及び底部を形成し、前記左右棒の端部をＬ字状に折り曲げて左右上固定部を形成した保持部、または略Ｕ字状に折り曲げて左右棒及び底部を形成し、前記左右棒の端部をＬ字状に折り曲げて左右上固定部を形成し、前記左右上固定部の先端部を斜め上方に曲がった屈曲部を形成した保持部のいずれかとし、前記左右棒を前記取付板と調節板の間に挿通させたことを特徴とする請求項１に記載のダンボール組立補助具。
【請求項３】
前記調節板を、反取付板側に膨らんだ状態で左右湾曲部を形成した調節板とし、前記左右湾曲部に前記左右棒陥入したことを特徴とする請求項２に記載のダンボール組立補助具１。
【考案の詳細な説明】
【技術分野】
【０００１】
本考案は、ダンボールの上下蓋を容易に封することができるダンボール組立補助具に関する。
【背景技術】
【０００２】
従来、ダンボールを組み立てる際の下蓋を封する際や、ダンボールに物品を梱包した後に上蓋を封する際は、観音開きになっている２片の蓋を押さえながら粘着テープ等で封をしていた。
【０００３】
しかしながら、従来の方法では、蓋が開かないように押さえながら粘着テープ等を用意して封をしなければならなかったため、綺麗に封をすることができず、特に商品等である場合は他人の手を借りたり、重しを使用して封作業をしていた。
【０００４】
また、ダンボールの組立から商品の梱包及び封作業までを効率的に行うための大掛かりな梱包機が存在していたが、これらは商品量の多い大工場向けの装置で設置コストがかかり、小規模工場や個人事業者では容易に設置できるものではなかった。
【先行技術文献】
【特許文献】
【０００５】
【特許文献１】特開平８−１３３２０９号公報
【考案の概要】
【考案が解決しようとする課題】
【０００６】
そこで、本考案は、一人で簡単且つ綺麗にダンボールの封作業をすることができ、特別な技術を必要とせず、また小規模工場や個人事業者等であってもコストをかけずに設置し、作業効率を上げることが出来るダンボール組立補助具を提供する。
【課題を解決するための手段】
【０００７】
本考案は、上記の課題を解決するために、台に固定する取付板と前記取付板に重ね合うように押圧度を調節する調節具によって保持される調節板からなる調節部と、前記取付板と調節板の間に挿通し上下スライド調節可能に取り付けられ上部にダンボールの上部を前記台とで押さえる固定部を形成した保持部とからなり、前記調節部と固定部の距離を折り畳んだダンボールの高さにし、前記台と固定部の間にダンボールを位置させて前記固定部でダンボールの上蓋を押さえた状態でダンボールの上蓋を封することを特徴とするダンボール組立補助具の構成とした。
【０００８】
また、前記保持部を、略Ｕ字状に折り曲げて左右棒及び底部を形成し、更に前記左右棒の端部をＬ字状に折り曲げて左右上固定部を形成した保持部とし、前記左右棒を前記取付板と調節板の間に挿通させたことを特徴とするダンボール組立補助具の構成とした。
【０００９】
更に、前記調節板を、反取付板側に膨らんだ状態で左右湾曲部を形成した調節板とし、前記左右湾曲部に前記左右棒を陥入したことを特徴とするダンボール組立補助具の構成とした。
【考案の効果】
【００１０】
本考案は、上記のような構成であるため、一人で簡単且つ綺麗にダンボールの封作業をすることができる。
【００１１】
また、設置が容易であり、設置コストも低廉であるため莫大な費用をかけることができない小規模工場や個人事業者でも容易に取り入れることができ、更に特別な技術が不要であるため誰でもすぐに使用することができる。
【図面の簡単な説明】
【００１２】
【図１】本考案であるダンボール組立補助具の正面図である。
【図２】本考案であるダンボール組立補助具の背面図である。
【図３】本考案であるダンボール組立補助具の平面図である。
【図４】本考案であるダンボール組立補助具の右側面図である。
【図５】本考案であるダンボール組立補助具のＡ−Ａ線断面図である。
【図６】本考案であるダンボール組立補助具のＢ−Ｂ線断面図である。
【図７】本考案であるダンボール組立補助具の使用図である。
【図８】本考案であるダンボール組立補助具の第２実施例の側面図である。
【考案を実施するための形態】
【００１３】
以下、添付の図面を参照し、本考案の実施の形態について詳細に説明する。
【実施例１】
【００１４】
図１は本考案であるダンボール組立補助具の正面図、図２はダンボール組立補助具の背面図、図３はダンボール組立補助具の平面図、図４はダンボール組立補助具の右側面図、図５はダンボール組立補助具のＡ−Ａ線断面図、図６はダンボール組立補助具のＢ−Ｂ線断面図、図７はダンボール組立補助具の使用図である。
【００１５】
図１から図６に示すように、本考案であるダンボール組立補助具１は、台６に固定する取付板３ｂと前記取付板３ｂに重ね合うように押圧度を調節する調節具４によって保持される調節板３ａからなる調節部３と、前記取付板３ｂと調節板３ａの間に挿通し上下スライド調節可能に取り付けられ上部にダンボールの上部を前記台６とで押さえる固定部を形成した保持部２とからなる。
【００１６】
前記保持部２は、略Ｕ字状に折り曲げて左右棒２ａ、２ｂ及び底部２ｅを形成し、更に前記左右棒２ａ、２ｂの端部をＬ字状に折り曲げて左右上固定部２ｃ、２ｄを形成した一本の棒からなり、前記左右棒２ａ、２ｂを前記取付板３ｂと調節板３ａの間に挿通し上下スライド可能な状態で調節部３に取り付けられている。
【００１７】
前記調節板３ａは、反取付板３ｂ側に膨らんだ状態で左右湾曲部３ｄ、３ｅを形成しており、前記左右湾曲部３ｄ、３ｅに前記左右棒２ａ、２ｂを陥入している。
【００１８】
図１から図４に示すように、前記取付板３ｂの左右部には取付孔３ｆが穿設されており、この穿設孔３ｆに留め具４ｃを挿通し、取付板３ｆを台６の縁に固定する。
【００１９】
図５及び図６に示すように、前記取付板３ｂの中央及び調節板３ａの中央には孔３ｃ、３ｇが穿設されており、取付板３ｂの反調節板３ａ側から調節板３ａに向かってボルト４ｂが取り付けられている。そして、前記ボルト４ｂの先端は取付板３ｂから突出した状態となっている。
【００２０】
前記ボルト４ｂの突出部分は更に調節板３ａの中央の孔に挿通されており、ボルト４ｂの先端部にネジナット４ａが螺合されている。
【００２１】
即ち、前記ネジナット４ａを螺合してゆくとネジナット４ａは調節板３ａを取付板３ｂ側に押してゆくため、調節板３ａと取付板３ｂの間に挿通されている保持部２の左右棒２ａ、２ｂが締め付けられ保持部２の位置が固定される。
【００２２】
反対に、ネジナット４ａの螺合を緩めると左右棒２ａ、２ｂの締め付けが緩み、保持部２を上下にスライドさせることが出来る。
【００２３】
尚、前記調節具４はネジナット４ａとボルト４ｂの組み合わせとしたが、特に限定したものではなく、容易に締め及び緩めを行うことが出来る調節具４であればよい。
【００２４】
図７に示すように、本考案であるダンボール組立補助具１の使用方法は、まず、台６の縁に留め具４ｃを使用して取付板３ｂを固定し、次に調節具４のネジナット４ａを緩めて保持部２を上下にスライドさせて左右固定部２ｃ、２ｄの高さを決める。
【００２５】
前記左右固定部２ｃ、２ｄの台６からの高さは折り畳んだダンボールの高さ程度とし、前記ネジナット４ａを締めて保持部２を固定する。
【００２６】
保持部２を固定させた後、ダンボール５を左右固定部２ｃ、２ｄと台６の間に位置させる。このとき、ダンボール５の上蓋は封をされていないが、前記左右固定部２ｃ、２ｄにより各上蓋片が押さえられているため、手を離しても上蓋を閉じた状態が保持される。
【００２７】
以上の状態でテープ５ａ等を使用して上蓋を封することができる。テープ５ａで封をする際は、両手を使って封をすることができるため一度で綺麗に封をすることができる。
【００２８】
尚、全く組み立てられていないダンボールの場合は、まず、ダンボールを箱状に形成して下蓋部分を上側にした状態で台６と左右固定部２ｃ、２ｄの間に挿通し、テープ５ａ等でしっかりと封をする。
【００２９】
その後、ダンボール内に商品等を梱包し、前述のように上蓋を閉じた状態で台６と左右固定部２ｃ、２ｄの間に再度挿通し上蓋に封をすればよい。
【００３０】
以上のように、常に両手を使用して蓋の封作業をすることができるため、仕上がりが綺麗であり、また従来よりも短時間で行うことが出来る。
【００３１】
また、左右固定部２ｃ、２ｄの高さが調節出来るため、一度設置をすれば、様々なダンボールで使用することができる。
【実施例２】
【００３２】
図８は、本考案であるダンボール組立補助具の第２実施例の側面図である。図８に示すように、ダンボール組立補助具１ａは、実施例１で示したダンボール組立補助具１とほぼおなじであり、異なる部分は、左右上固定部２ｃ、２ｄの先端部が斜め上方に向かってやや屈曲している点である。
【００３３】
このように、左右上固定部２ｃ、２ｄの先端部が斜め上方に向かって屈曲していることにより、台６と前記左右固定部２ｃ、２ｄの間に対象となるダンボールを位置させる際にスムーズに行うことができ、また、誤って左右固定部２ｃ、２ｄの先端でダンボールの側面を毀損させる心配もない。  
【産業上の利用可能性】
【００３４】
本考案であるダンボール組立補助具は、設置コストが低廉で取扱が容易であるため、商品量が少ない小規模工場や個人事業者まで幅広く利用することが出来る。
【符号の説明】
【００３５】
１    ダンボール組立補助具
２    保持部
２ａ  左棒
２ｂ  右棒
２ｃ  左上固定部
２ｄ  右上固定部
２ｅ  底部
２ｆ  屈曲部
３    調節部
３ａ  調節板
３ｂ  取付板
３ｃ  孔
３ｄ  左湾曲部
３ｅ  右湾曲部
３ｆ  取付孔
３ｇ  孔
４    調節具
４ａ  ネジナット
４ｂ  ボルト
４ｃ  留め具
５    ダンボール
５ａ  テープ
６    台
【図１】
0003159261.tif 000003
【図２】
0003159261.tif 000004
【図３】
0003159261.tif 000005
【図４】
0003159261.tif 000006
【図５】
0003159261.tif 000007
【図６】
0003159261.tif 000008
【図７】
0003159261.tif 000009
【図８】
0003159261.tif 000010